(57)【要約】  扇風機であって、ガードリング（１００）には、クリップ固定ねじ（７）が取り付けられるねじ穴（１０８）が設けられており、ロッククリップ（３００）は、ねじ穴（１０８）に取り付けられるクリップ固定ねじ（７）が貫通する長穴（３０８）が設けられたねじ貫通部と、クリップ固定ねじ（７）が長穴（３０８）の一端（３０８ａ）側に配置されたときにガードリング（１００）と係合し、クリップ固定ねじ（７）が長穴（３０８）の他端（３０８ｂ）側に配置されたときにガードリング（１００）との係合が解除される引掛け部（３０３）とを備える。
2017212649.tif 000002
【特許請求の範囲】
【請求項１】
モータを内包する回転部と、
前記モータによって駆動される羽根と、
前記回転部に固定されるガード後部と、前記羽根を前記モータと反対の側から覆うガード前部と、前記ガード後部と前記ガード前部とを接続するガードリングとを有し、前記モータの軸方向に分割可能なガードと、
前記ガード前部と前記ガードリングとの係合が外れることを防止するロッククリップと、
前記ロッククリップを前記ガードリングに軸支するクリップ固定ねじとを備えた扇風機であって、
前記ガードリングには、前記クリップ固定ねじが取り付けられるねじ穴が設けられており、
前記ロッククリップは、前記ねじ穴に取り付けられる前記クリップ固定ねじが貫通する長穴が設けられたねじ貫通部と、前記クリップ固定ねじが前記長穴の一端側に配置されたときに前記ガードリングと係合し、前記クリップ固定ねじが前記長穴の他端側に配置されたときに前記ガードリングとの係合が解除される引掛け部とを備えることを特徴とする扇風機。
【請求項２】
前記ガード後部と前記ガードリングとが一体構造であることを特徴とする請求項１に記載の扇風機。
【請求項３】
モータを内包する回転部と、
前記モータによって駆動される羽根と、
前記回転部に固定されるガード後部と、前記羽根を前記モータと反対の側から覆うガード前部と、前記ガード後部と前記ガード前部とを接続するガードリングとを有し、前記モータの軸方向に分割可能なガードと、
前記ガード後部と前記ガードリングとの係合が外れることを防止するロッククリップと、
前記ロッククリップを前記ガードリングに軸支するクリップ固定ねじとを備えた扇風機であって、
前記ガードリングには、前記クリップ固定ねじが取り付けられるねじ穴が設けられており、
前記ロッククリップは、前記ねじ穴に取り付けられる前記クリップ固定ねじが貫通する長穴が設けられたねじ貫通部と、前記クリップ固定ねじが前記長穴の一端側に配置されたときに前記ガードリングと係合し、前記クリップ固定ねじが前記長穴の他端側に配置されたときに前記ガードリングとの係合が解除される引掛け部とを備えることを特徴とする扇風機。
【請求項４】
前記ガード前部と前記ガードリングとが一体構造であることを特徴とする請求項３に記載の扇風機。
【請求項５】
前記ロッククリップは、前記長穴の前記一端側に、前記クリップ固定ねじのねじ頭が嵌合される座グリ部が設けられていることを特徴とする請求項１から４のいずれか１項に記載の扇風機。
【請求項６】
前記クリップ固定ねじに取り付けられる脱落防止ワッシャを備えることを特徴とする請求項１から４のいずれか１項に記載の扇風機。
【請求項７】
前記クリップ固定ねじは、脱落防止ねじであることを特徴とする請求項１から４のいずれか１項に記載の扇風機。
【請求項８】
前記ガードリングは、前記ねじ穴と同軸の円筒部を有し、前記ロッククリップは、前記円筒部を回転可能に軸支する長円形状溝を有することを特徴とする請求項１から４のいずれか１項に記載の扇風機。
【発明の詳細な説明】
【技術分野】
【０００１】
本発明は、分解を容易としながら不意な脱落を防止するファンガードを備えた扇風機に関する。
【背景技術】
【０００２】
従来の扇風機は、特許文献１に開示されるように、スタンド部と、スタンド部に支持され羽根駆動用のモータを有する回転部と、モータにより駆動される羽根と、ファンの周囲を囲うガードとを備え、ガードは羽根へのアクセスが可能となるように分割できる構造となっており、分割されるガード同士の結合は回転軸に対するガード円周面リング部品に設けられた係止部によって成され、また、その係合が振動又は衝撃で不意に外れないよう、ガードの分解方向への動きを抑止するロッククリップが設置されている。【０００３】
ロッククリップは、リング部品に回動自在に軸支されており、さらにロッククリップに設けられた引掛け部がリング部品又はガードに係止されることでロックが完了する。ロッククリップの係合及び解除は、ユーザがロッククリップの取っ手に荷重を加えることで行われ、ねじによりガードを直接固定する構造と比較して、ねじを外す手間が不要であり、ねじを紛失しない利点がある。
【先行技術文献】
【特許文献】
【０００４】
【特許文献１】実用新案登録第３１９５２８９号公報
【発明の概要】
【発明が解決しようとする課題】
【０００５】
ロッククリップは、その役割から子供若しくはペットのいたずら又は不意の接触によりロッククリップの係合が外されることを避ける必要があるが、荷重をかけることで係合と解除を行う構造の場合、機能を果たすには老人といった非力なユーザの操作が困難になり、また部品寸法のばらつき又は経年による変形で操作荷重が変化するという問題があった。さらに、ロッククリップの取っ手は荷重を加え易いよう突出させるため、衣類などを意図せず引掛けてしまう問題もある。【０００６】
本発明は、上記に鑑みてなされたものであって、誤操作を招きにくくかつ操作荷重を低下させロッククリップを備えた扇風機を得ることを目的とする。
【課題を解決するための手段】
【０００７】
上述した課題を解決し、目的を達成するために、本発明は、モータを内包する回転部と、モータによって駆動される羽根と、回転部に固定されるガード後部と、羽根をモータと反対の側から覆うガード前部と、ガード後部とガード前部とを接続するガードリングとを有し、モータの軸方向に分割可能なガードと、ガード前部とガードリングとの係合が外れることを防止するロッククリップと、ロッククリップをガードリングに軸支するクリップ固定ねじとを備えた扇風機であって、ガードリングは、クリップ固定ねじが取り付けられるねじ穴が設けられている。ロッククリップは、ねじ穴に取り付けられるクリップ固定ねじが貫通する長穴が設けられたねじ貫通部と、クリップ固定ねじが長穴の一端側に配置されたときにガードリングと係合し、クリップ固定ねじが長穴の他端側に配置されたときにガードリングとの係合が解除される引掛け部とを備える。
【発明の効果】
【０００８】
本発明に係る扇風機は、ロッククリップの誤操作を招きにくく、かつロッククリップの操作荷重を低下させることができるという効果を奏する。
【図面の簡単な説明】
【０００９】
【図１】本発明の実施の形態１に係る扇風機の回転部の分解斜視図
【図２】実施の形態１に係る扇風機のガードリングの正面図
【図３】実施の形態１に係る扇風機のガードリングの下端を円周内側から見た拡大斜視図
【図４】実施の形態１に係る扇風機のガードリングの下端を円周外側から見た拡大斜視図
【図５】実施の形態１に係る扇風機のガード前部の背面図
【図６】実施の形態１に係る扇風機のロッククリップの斜視図
【図７】実施の形態１に係る扇風機のガードリングとロッククリップとの結合部分の分解拡大図
【図８】実施の形態１に係る扇風機のガードリングとロッククリップとの結合部分の拡大図
【図９】実施の形態１に係る扇風機のガードリングとロッククリップとの結合部分の拡大図
【図１０】本発明の実施の形態２に係る扇風機のガードリングとロッククリップの結合部分の拡大断面図
【図１１】本発明の実施の形態３に係る扇風機のガードリングとロッククリップとの結合部分の分解拡大図
【図１２】実施の形態３に係る扇風機のガードリングとロッククリップとの結合部分の拡大断面図
【発明を実施するための形態】
【００１０】
以下に、本発明の実施の形態に係る扇風機を図面に基づいて詳細に説明する。なお、この実施の形態によりこの発明が限定されるものではない。
【００１１】
実施の形態１．
図１は、本発明の実施の形態１に係る扇風機の回転部の分解斜視図である。図１に示すように、回転部１は、全体を支えるスタンド部２１に支持されモータ２２を内包する回転部基部２と、モータ２２により駆動される羽根３と、羽根３をモータ２２に固定するスピンナー４と、回転部基部２にガード固定部品５とで挟持され固定されるガード後部６と、ガード後部６に固定されるガードリング１００と、ガードリング１００に係合されガード後部６とで羽根３を囲うガード前部２００と、ガードリングに取付けられガード前部２００がガードリング１００との係合が外れる方向に移動するのを防止するロッククリップ３００と、クリップ固定ねじ７を備える。
【００１２】
図２は、実施の形態１に係る扇風機のガードリングの正面図である。図３は、実施の形態１に係る扇風機のガードリングの下端を円周内側から見た拡大斜視図である。図４は、実施の形態１に係る扇風機のガードリングの下端を円周外側から見た拡大斜視図である。図２から図４に示すように、ガードリング１００の円周部１０１の内周面１０２には、モータ２２の軸方向に並んだ１対の突起からなるガード後部係合部１０３ａ，１０３ｂ，１０３ｃ，１０３ｄ，１０３ｅ，１０３ｆ，１０３ｇ，１０３ｈが設けられている。なお、以降の説明では、ガード後部係合部１０３ａ，１０３ｂ，１０３ｃ，１０３ｄ，１０３ｅ，１０３ｆ，１０３ｇ，１０３ｈを個別に扱う必要が無い場合には、ガード後部係合部１０３と表記する。ガード後部６の円周部６ａがガード後部係合部１０３の１対の突起の間に係止されることで、ガードリング１００はガード後部６に係合される。回転部１に固定されるガード後部６と、羽根３をモータ２２と反対の側から覆うガード前部２００と、ガード後部６とガード前部２００とを接続するガードリング１００は、モータ２２の軸方向に分割可能なガードを構成している。
【００１３】
また、円周部１０１の内周面１０２には、ガード前部２００を係止するための突起１０４ａ，１０４ｂ，１０４ｃ，１０４ｄ，１０４ｅ，１０４ｆ，１０４ｇ，１０４ｈが形成されている。なお、以降の説明では、突起１０４ａ，１０４ｂ，１０４ｃ，１０４ｄ，１０４ｅ，１０４ｆ，１０４ｇ，１０４ｈを個別に扱う必要が無い場合には、突起１０４と表記する。円周部１０１には、内周面１０２から外周面１０６まで貫通した引掛け穴１０５が形成されている。円周部１０１の外周面１０６には、凸形状部１０７が形成されている。凸形状部１０７は、円周部１０１の軸と平行な軸を持つねじ穴１０８を備えている。
【００１４】
図５は、実施の形態１に係る扇風機のガード前部の背面図である。図５に示すように、ガード前部２００は、円形のグリル部２０１と、グリル部２０１の背面に同心円で突出し、ガードリング１００の内周面１０２の内径と同じ大きさの外径を有する円筒部２０２と、円筒部２０２をガードリング１００の円周部１０１の内側に挿入した際に突起１０４との干渉を避ける逃がし部２０３ａ，２０３ｂ，２０３ｃ，２０３ｄ，２０３ｅ，２０３ｆ，２０３ｇと、逃がし部２０３ａ，２０３ｂ，２０３ｃ，２０３ｄ，２０３ｅ，２０３ｆ，２０３ｇの各側面２０４ａ，２０４ｂ，２０４ｃ，２０４ｄ，２０４ｅ，２０４ｆ，２０４ｇから円筒部２０２にまたがって形成された引掛け溝２０５ａ，２０５ｂ，２０５ｃ，２０５ｄ，２０５ｅ，２０５ｆ，２０５ｇと、円筒部２０２からグリル部２０１の外周に向けて突出したクリップ突き当て部２０７と、クリップ突き当て部外周面２０６から側面２０４ｈにまたがって形成された引掛け溝２０５ｈとを備える。なお、以降の説明では、逃がし部２０３ａ，２０３ｂ，２０３ｃ，２０３ｄ，２０３ｅ，２０３ｆ，２０３ｇを個別に扱う必要が無い場合には、逃がし部２０３と表記する。また、以降の説明では、引掛け溝２０５ａ，２０５ｂ，２０５ｃ，２０５ｄ，２０５ｅ，２０５ｆ，２０５ｇを個別に扱う必要が無い場合には、引掛け溝２０５と表記する。
【００１５】
ガード前部２００は、ガードリング１００の突起１０４と逃がし部２０３の位置を合わせて円筒部２０２をガードリング１００の円周部１０１内に挿入した後、突起１０４が引掛け溝２０５に嵌るように回転されることで、ガードリング１００に係合される。
【００１６】
図６は、実施の形態１に係る扇風機のロッククリップの斜視図である。図６に示すように、ロッククリップ３００は、ガードリング１００の外周面１０６に沿った形状を備える本体３０１と、本体３０１をガードリング１００に固定した際に外周面１０６との合わせ面となる面３０２に形成された引掛け部３０３と、本体３０１を挟んで引掛け部３０３の対面側に形成された筐体部３０５とを有する。引掛け部３０３は、面３０２との間に溝３０４を形成する形状である。筐体部３０５は、面３０２側に開口３０６が設けられている。また、筐体部３０５の側面３０７には、引掛け部３０３に向けて長手方向を取る長穴３０８が設けられている。長穴３０８は、ねじ穴１０８に取り付けられるクリップ固定ねじ７が貫通するねじ貫通部を構成している。長穴３０８の引掛け部３０３とは反対となる側の端には、クリップ固定ねじ７のねじ頭が嵌合される座グリ部３０９が設けられている。引掛け部３０３は、面３０２とは反対となる側の端には、突起３１０が設けられている。
【００１７】
図７は、実施の形態１に係る扇風機のガードリングとロッククリップとの結合部分の分解拡大図である。図８及び図９は、実施の形態１に係る扇風機のガードリングとロッククリップとの結合部分の拡大図である。説明の対象とする部分の形状を見やすくするため、図７、図８及び図９の各図は、ガード後部の図示を省略している。図７に示すように、引掛け穴１０５と凸形状部１０７との間隔は、引掛け部３０３と筐体部３０５との間隔と同じであるため、ガードリング１００の引掛け穴１０５にロッククリップ３００の引掛け部３０３が挿入されると同時に、凸形状部１０７は筐体部３０５に挿入される。凸形状部１０７が筐体部３０５に挿入された状態において、長穴３０８を貫通させてクリップ固定ねじ７をねじ穴１０８に締付けることで、ロッククリップ３００はガードリング１００に回転とスライドが可能に軸支される。
【００１８】
ロッククリップ３００がガードリング１００に回転とスライドが可能に軸支された状態で、図８に示すように、ロッククリップ３００を面３０２がガードリング１００の外周面１０６に当たるようにして、溝３０４が引掛け穴１０５の縁１０９に係止される位置にスライドさせたとき、クリップ固定ねじ７は長穴３０８の座グリ部３０９が設けられた側の端に突き当たる。すなわち、引掛け部３０３は、クリップ固定ねじ７が長穴３０８の一端３０８ａ側に配置されたときにガードリング１００と係合する。引掛け部３０３がガードリング１００と係合した状態でクリップ固定ねじ７を締め付けることで、ねじ頭が座グリ部３０９に嵌合し、ロッククリップ３００がスライドも回転も不可能に固定される。
【００１９】
このように、従来はロッククリップを弾性変形させて行っていた固定及び解除がクリップ固定ねじ７の締緩で行われるため、大きな荷重を加える必要がない。従って、ロッククリップ３００は、製品外側に突出するような取っ手が無い形状とすることができる。
【００２０】
さらにこのとき、突起３１０はガード前部２００のクリップ突き当て部２０７の面２０８に突き当たり、ガード前部２００が回転してガードリング１００との係合が解除されることを防止する。
【００２１】
一方、図９に矢印Ａで示すように、溝３０４が縁１０９に係止されない位置までロッククリップ３００がスライドしたとき、ロッククリップ３００はクリップ固定ねじ７を軸に引掛け部３０３が引掛け穴１０５から抜けるように図９に矢印Ｂで示す方向に回動が可能となる。このとき、突起３１０は、クリップ突き当て部２０７の回転範囲外に移動し、ガード前部２００はガードリング１００から取り外しが可能となる。すなわち、引掛け部３０３は、クリップ固定ねじ７が長穴３０８の他端３０８ｂ側に配置されたときにガードリング１００との係合が解除される。
【００２２】
なお、座グリ部３０９にクリップ固定ねじ７のねじ頭が嵌合している状態ではロッククリップ３００に荷重を加えてもスライドできないため、いたずら又は意図しない接触によりロッククリップ３００が解除されることがない。
【００２３】
ロッククリップ３００とガードリング１００の形状については、凸形状部又は引掛け穴がロッククリップ３００に設けられ、筐体部又は引掛け部がガードリング１００に設けられた形状でも良い。
【００２４】
上記の説明では、ガードは、ガード前部２００、ガードリング１００及びガード後部６で構成されるとしたが、ガードリング１００はガード後部６又はガード前部２００と一体の構造でも良い。なお、ガードリング１００とガード前部２００とを一体とする場合には、上記の説明でのガードリング１００とガード前部２００との係合部分の構造を前後逆にして、ガードリング１００とガード後部６との係合部分に適用すれば良い。
【００２５】
実施の形態１に係る扇風機は、ロッククリップの誤操作を招きにくく、かつロッククリップの操作荷重を低下させることができる。
【００２６】
実施の形態２．
図１０は、本発明の実施の形態２に係る扇風機のガードリングとロッククリップの結合部分の拡大断面図である。実施の形態２においては、ガードリング１００の凸形状部１０７の形状が変更され、クリップ固定ねじ７に脱落防止ワッシャ８が取り付けられている。この他については、実施の形態１と同様である。
【００２７】
実施の形態２に係る扇風機は、図１０に示すように、凸形状部１０７が円周部１０１の中心軸に垂直な分割溝１１０によって分割されており、クリップ固定ねじ７を取り付けた時にねじ頭側になる凸形状部１０７ａにはクリップ固定ねじ７の径より大きい丸穴１１１が、ねじ先端側になる凸形状部１０７ｂにはねじ穴１１２が設けられている。クリップ固定ねじ７は、分割溝１１０に脱落防止ワッシャが入る形で丸穴１１１を通してねじ穴１１２に締め付けられる。脱落防止ワッシャ８により、クリップ固定ねじ７を脱落させて紛失するのを防止する効果が得られる。
【００２８】
なお、クリップ固定ねじ７と脱落防止ワッシャ８の代わりに同様の効果を持つピン又は脱落防止ねじを使用しても良い。
【００２９】
実施の形態２に係る扇風機は、ロッククリップの誤操作を招きにくく、かつロッククリップの操作荷重を低下させることができる。
【００３０】
実施の形態３．
図１１は、本発明の実施の形態３に係る扇風機のガードリングとロッククリップとの結合部分の分解拡大図である。図１２は、実施の形態３に係る扇風機のガードリングとロッククリップとの結合部分の拡大断面図である。実施の形態３においては、ガードリング１００の凸形状部１０７の形状が変更され、ロッククリップ３００の形状が変更されている。この他については、実施の形態１と同様である。
【００３１】
実施の形態３に係る扇風機は、図１１に示すように、ガードリング１００の凸形状部１０７のねじ穴１０８と同軸に円筒部１１３，１１４が設けられており、ロッククリップ３００の凸型形状１０７の正面が接する面及び背面が接する面には、長円形状溝３１１，３１２が設けられている。円筒部１１３は、長円形状溝３１１に係止され、円筒部１１４は、長円形状溝３１２に係止される。すなわち、ガードリング１００は、ねじ穴１０８と同軸の円筒部１１３，１１４を有し、ロッククリップ３００は、円筒部１１３，１１４を回転可能に軸支する長円形状溝３１１，３１２を有している。また、ロッククリップ３００の筐体部３０５は正面及び背面のみの形状であり、円筒部１１３，１１４を長円形状溝３１１，３１２に係合する際に弾性変形させ易くなっている。上記の形状により、ロッククリップ３００は、クリップ固定ねじ７が取り付けられていない状態でもスライド及び回転が可能であり、またガードリング１００から脱落すること無く保持される効果が得られる。
【００３２】
実施の形態３に係る扇風機は、ロッククリップの誤操作を招きにくく、かつロッククリップの操作荷重を低下させることができる。
【００３３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３４】
１  回転部、２  回転部基部、３  羽根、４  スピンナー、５  ガード固定部品、６  ガード後部、６ａ，１０１  円周部、７  クリップ固定ねじ、８  脱落防止ワッシャ、１００  ガードリング、１０２  内周面、１０３，１０３ａ，１０３ｂ，１０３ｃ，１０３ｄ，１０３ｅ，１０３ｆ，１０３ｇ，１０３ｈ  ガード後部係合部、１０４，１０４ａ，１０４ｂ，１０４ｃ，１０４ｄ，１０４ｅ，１０４ｆ，１０４ｇ，１０４ｈ，３１０  突起、１０５  引掛け穴、１０６  外周面、１０７，１０７ａ，１０７ｂ  凸形状部、１０８，１１２  ねじ穴、１１０  分割溝、１１１  丸穴、１１３，１１４，２０２  円筒部、２００  ガード前部、２０１  グリル部、２０３，２０３ａ，２０３ｂ，２０３ｃ，２０３ｄ，２０３ｅ，２０３ｆ，２０３ｇ  逃がし部、２０４ａ，２０４ｂ，２０４ｃ，２０４ｄ，２０４ｅ，２０４ｆ，２０４ｇ，２０４ｈ，３０７  側面、２０５，２０５ａ，２０５ｂ，２０５ｃ，２０５ｄ，２０５ｅ，２０５ｆ，２０５ｇ，２０５ｈ  引掛け溝、２０６  クリップ突き当て部外周面、２０７  クリップ突き当て部、３００  ロッククリップ、３０１  本体、３０２  面、３０３  引掛け部、３０４  溝、３０５  筐体部、３０６  開口、３０８  長穴、３０８ａ  一端、３０８ｂ  他端、３０９  座グリ部、３１１，３１２  長円形状溝。
【図１】
2017212649.tif 000003
【図２】
2017212649.tif 000004
【図３】
2017212649.tif 000005
【図４】
2017212649.tif 000006
【図５】
2017212649.tif 000007
【図６】
2017212649.tif 000008
【図７】
2017212649.tif 000009
【図８】
2017212649.tif 000010
【図９】
2017212649.tif 000011
【図１０】
2017212649.tif 000012
【図１１】
2017212649.tif 000013
【図１２】
2017212649.tif 000014
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
モータを内包する回転部と、
前記モータによって駆動される羽根と、
前記回転部に固定されるガード後部と、前記羽根を前記モータと反対の側から覆うガード前部と、前記ガード後部と前記ガード前部とを接続するガードリングとを有し、前記モータの軸方向に分割可能なガードと、
前記ガード前部と前記ガードリングとの係合が外れることを防止するロッククリップと、
前記ロッククリップを前記ガードリングに軸支するクリップ固定ねじとを備えた扇風機であって、
前記ガードリングには、前記クリップ固定ねじが取り付けられるねじ穴が設けられており、
前記ロッククリップは、前記ねじ穴に取り付けられる前記クリップ固定ねじが貫通する長穴が設けられたねじ貫通部を備え、
前記ロッククリップは、前記長穴の一端側に、前記クリップ固定ねじのねじ頭が嵌合される座グリ部が設けられていることを特徴とする扇風機。
【請求項２】
前記ロッククリップは、前記クリップ固定ねじが前記長穴の前記一端側に配置されたときに前記ガードリングと係合し、前記クリップ固定ねじが前記長穴の他端側に配置されたときに前記ガードリングとの係合が解除される引掛け部を備えることを特徴とする請求項１に記載の扇風機。
【請求項３】
前記ガード後部と前記ガードリングとが一体構造であることを特徴とする請求項１又は２に記載の扇風機。
【請求項４】
モータを内包する回転部と、
前記モータによって駆動される羽根と、
前記回転部に固定されるガード後部と、前記羽根を前記モータと反対の側から覆うガード前部と、前記ガード後部と前記ガード前部とを接続するガードリングとを有し、前記モータの軸方向に分割可能なガードと、
前記ガード後部と前記ガードリングとの係合が外れることを防止するロッククリップと、
前記ロッククリップを前記ガードリングに軸支するクリップ固定ねじとを備えた扇風機であって、
前記ガードリングには、前記クリップ固定ねじが取り付けられるねじ穴が設けられており、
前記ロッククリップは、前記ねじ穴に取り付けられる前記クリップ固定ねじが貫通する長穴が設けられたねじ貫通部を備え、
前記ロッククリップは、前記長穴の一端側に、前記クリップ固定ねじのねじ頭が嵌合される座グリ部が設けられていることを特徴とする扇風機。
【請求項５】
前記ロッククリップは、前記クリップ固定ねじが前記長穴の前記一端側に配置されたときに前記ガードリングと係合し、前記クリップ固定ねじが前記長穴の他端側に配置されたときに前記ガードリングとの係合が解除される引掛け部を備えることを特徴とする請求項４に記載の扇風機。
【請求項６】
前記ガード前部と前記ガードリングとが一体構造であることを特徴とする請求項４又は５に記載の扇風機。
【請求項７】
前記クリップ固定ねじに取り付けられる脱落防止ワッシャを備えることを特徴とする請求項１から６のいずれか１項に記載の扇風機。
【請求項８】
前記クリップ固定ねじは、脱落防止ねじであることを特徴とする請求項１から７のいずれか１項に記載の扇風機。
【請求項９】
前記ガードリングは、前記ねじ穴と同軸の円筒部を有し、前記ロッククリップは、前記円筒部を回転可能に軸支する長円形状溝を有することを特徴とする請求項１から８のいずれか１項に記載の扇風機。
【手続補正２】
【補正対象書類名】明細書
【補正対象項目名】００１７
【補正方法】変更
【補正の内容】
【００１７】
図７は、実施の形態１に係る扇風機のガードリングとロッククリップとの結合部分の分解拡大図である。図８及び図９は、実施の形態１に係る扇風機のガードリングとロッククリップとの結合部分の拡大図である。説明の対象とする部分の形状を見やすくするため、図７、図８及び図９の各図は、ガード後部６の図示を省略している。図７に示すように、引掛け穴１０５と凸形状部１０７との間隔は、引掛け部３０３と筐体部３０５との間隔と同じであるため、ガードリング１００の引掛け穴１０５にロッククリップ３００の引掛け部３０３が挿入されると同時に、凸形状部１０７は筐体部３０５に挿入される。凸形状部１０７が筐体部３０５に挿入された状態において、長穴３０８を貫通させてクリップ固定ねじ７をねじ穴１０８に締付けることで、ロッククリップ３００はガードリング１００に回転とスライドが可能に軸支される。
【手続補正３】
【補正対象書類名】明細書
【補正対象項目名】００２５
【補正方法】変更
【補正の内容】
【００２５】
実施の形態１に係る扇風機は、ロッククリップ３００の誤操作を招きにくく、かつロッククリップ３００の操作荷重を低下させることができる。
【手続補正４】
【補正対象書類名】明細書
【補正対象項目名】００２７
【補正方法】変更
【補正の内容】
【００２７】
実施の形態２に係る扇風機は、図１０に示すように、凸形状部１０７が円周部１０１の中心軸に垂直な分割溝１１０によって分割されており、クリップ固定ねじ７を取り付けた時にねじ頭側になる凸形状部１０７ａにはクリップ固定ねじ７の径より大きい丸穴１１１が、ねじ先端側になる凸形状部１０７ｂにはねじ穴１１２が設けられている。クリップ固定ねじ７は、分割溝１１０に脱落防止ワッシャ８が入る形で丸穴１１１を通してねじ穴１１２に締め付けられる。脱落防止ワッシャ８により、クリップ固定ねじ７を脱落させて紛失するのを防止する効果が得られる。
【手続補正５】
【補正対象書類名】明細書
【補正対象項目名】００３１
【補正方法】変更
【補正の内容】
【００３１】
実施の形態３に係る扇風機は、図１１に示すように、ガードリング１００の凸形状部１０７のねじ穴１０８と同軸に円筒部１１３，１１４が設けられており、ロッククリップ３００の凸形状部１０７の正面が接する面及び背面が接する面には、長円形状溝３１１，３１２が設けられている。円筒部１１３は、長円形状溝３１１に係止され、円筒部１１４は、長円形状溝３１２に係止される。すなわち、ガードリング１００は、ねじ穴１０８と同軸の円筒部１１３，１１４を有し、ロッククリップ３００は、円筒部１１３，１１４を回転可能に軸支する長円形状溝３１１，３１２を有している。また、ロッククリップ３００の筐体部３０５は正面及び背面のみの形状であり、円筒部１１３，１１４を長円形状溝３１１，３１２に係合する際に弾性変形させ易くなっている。上記の形状により、ロッククリップ３００は、クリップ固定ねじ７が取り付けられていない状態でもスライド及び回転が可能であり、またガードリング１００から脱落すること無く保持される効果が得られる。
【手続補正６】
【補正対象書類名】明細書
【補正対象項目名】００３４
【補正方法】変更
【補正の内容】
【００３４】
１  回転部、２  回転部基部、３  羽根、４  スピンナー、５  ガード固定部品、６  ガード後部、６ａ，１０１  円周部、７  クリップ固定ねじ、８  脱落防止ワッシャ、２１  スタンド部、２２  モータ、１００  ガードリング、１０２  内周面、１０３，１０３ａ，１０３ｂ，１０３ｃ，１０３ｄ，１０３ｅ，１０３ｆ，１０３ｇ，１０３ｈ  ガード後部係合部、１０４，１０４ａ，１０４ｂ，１０４ｃ，１０４ｄ，１０４ｅ，１０４ｆ，１０４ｇ，１０４ｈ，３１０  突起、１０５  引掛け穴、１０６  外周面、１０７，１０７ａ，１０７ｂ  凸形状部、１０８，１１２  ねじ穴、１０９  縁、１１０  分割溝、１１１  丸穴、１１３，１１４，２０２  円筒部、２００  ガード前部、２０１  グリル部、２０３，２０３ａ，２０３ｂ，２０３ｃ，２０３ｄ，２０３ｅ，２０３ｆ，２０３ｇ  逃がし部、２０４ａ，２０４ｂ，２０４ｃ，２０４ｄ，２０４ｅ，２０４ｆ，２０４ｇ，２０４ｈ，３０７  側面、２０５，２０５ａ，２０５ｂ，２０５ｃ，２０５ｄ，２０５ｅ，２０５ｆ，２０５ｇ，２０５ｈ  引掛け溝、２０６  クリップ突き当て部外周面、２０７  クリップ突き当て部、２０８  面、３００  ロッククリップ、３０１  本体、３０２  面、３０３  引掛け部、３０４  溝、３０５  筐体部、３０６  開口、３０８  長穴、３０８ａ  一端、３０８ｂ  他端、３０９  座グリ部、３１１，３１２  長円形状溝。
【国際調査報告】
2017212649.tif 000015
2017212649.tif 000016
2017212649.tif 000017
2017212649.tif 000018